(57)【特許請求の範囲】
【請求項１】
粘着性フィルムドレッシングをカテーテルの生体への穿刺部を覆うように該穿刺部付近の生体表面に接着して、カテーテルを生体表面に取付ける際に用いる補助具であって、
一対のフィルム基材が積層され、これらが互いに開閉可能なように、これらの外形線の一部を共有する領域において互いに接着され、一方のフィルム基材の積層方向の外側の面が生体表面に対する粘着機能を有し、他方のフィルム基材をカテーテルの保持用とした、一対のフィルム基材の積層体からなり、
該一対のフィルム基材の積層体を、これらの前記接着部が、カテーテルの生体への穿刺部に最も近くなる向きとなり、かつ、カテーテルの生体への穿刺部に接触するかまたはその近傍に位置するように、生体表面上に配置して、一方のフィルム基材の積層方向の外側の面を生体表面に貼着する一方、他方のフィルム基材の積層方向の外側の面に、穿刺部から生体外へ出ているカテーテルを載置し、
粘着性フィルムドレッシングを、前記他方のフィルム基材の積層方向の外側の面に載置したカテーテルを覆うように当該面に接着し、さらに穿刺部のカテーテルを覆うように当該カテーテルと穿刺部周囲の生体表面に接着することで、カテーテルが生体に取付けられる構成としたことを特徴とする、カテーテル取付け補助具。
【請求項２】
一対のフィルム基材の一方のフィルム基材が、粘着機能を被覆するセパレーターをさらに有するものであって、その粘着機能が該フィルム基材上に設けられた粘着剤層によるものである請求項１記載のカテーテル取付け補助具。
【請求項３】
一対のフィルム基材の他方のフィルム基材が、積層方向の外側の面に粘着機能を有するものである請求項１または２記載のカテーテル取付け補助具。
【請求項４】
一対のフィルム基材の他方のフィルム基材が、積層方向の外側の面に剥離可能な補強層をさらに有するものである請求項１〜３のいずれか一項記載のカテーテル取付け補助具。
【請求項５】
一対のフィルム基材の外形が互いに合同な長方形または正方形であり、これらの積層がこれらの外形が一致するようになされるものであり、接着される領域の形状が、フィルム基材の外形の一辺の一部または一辺の全部を、一辺として共有する長方形または正方形である請求項１〜４のいずれか一項記載のカテーテル取付け補助具。
【請求項６】
セパレーターが、３分割されるための２本の平行な直線状の切断部を有するものであって、その切断部の２本の直線が、フィルム基材の外形の上記一辺の両端から等しい距離の位置に、該一辺に垂直に形成されたものである請求項５記載のカテーテル取付け補助具。
【請求項７】
当該カテーテル取付け補助具全体が３分割されるための２本の平行な直線状の切断予定部をさらに有するものであって、その２本の切断予定部の直線が共に、上記セパレーターの切断部の直線に平行であって、かつ、上記セパレーターの切断部の２本の直線に挟まれた位置に形成されたものである請求項６記載のカテーテル取付け補助具。
【発明の詳細な説明】
【０００１】
【産業上の利用分野】
本発明は、カテーテルの生体に対する穿刺部において、生体外のカテーテル生体表面に取付けるための補助具に関する。
【０００２】
【従来の技術】
生体内に挿入されるカテーテルは、主として皮膚等の生体表面を穿刺して血管内に挿入されて用いられる場合が多い。そのような場合、生体外でのカテーテルに対する操作によって、生体の穿刺部には外力が作用するので、これを阻止し、カテーテルを固定すると同時に、生体の穿刺部からの細菌の感染を防止する必要がある。
従来、カテーテルの生体への穿刺部に対しては、該穿刺部を含む広い領域を覆うように粘着性フィルムドレッシングが貼付され、カテーテルを生体表面に対して取付け固定すると共に、外部からの細菌の侵入を防止している。
【０００３】
【発明が解決しようとする課題】
ところが、カテーテルに対する生体外での機械的操作やカテーテル内への薬物の投与等の行為によって、上記穿刺部には種々の方向の外力が繰り返し強く作用する。特に、複数のルーメンを内部に有し、先端部での種々の作業機能を有するような多機能のカテーテルは、外径が太く、より高い剛性のものであるため、操作側の端部に少しの力を加えても、穿刺部には「てこ」の作用点のように大きな力が作用する。
従って、従来のように穿刺部を粘着性フィルムドレッシングによって押さえただけでは、カテーテルの動きによって粘着性フィルムドレッシングに浮きや剥がれが容易に生じ、その部分が細菌の感染ルートとなるという問題があった。
【０００４】
本発明の目的は、良好な作業性をもってカテーテルを生体の穿刺部に取付け固定することができ、また、カテーテルに強い外力が作用してカテーテルの生体への穿刺部においてカテーテルが動いても、粘着性フィルムドレッシングの生体表面からの浮きや剥がれを抑制することができるカテーテル取付け補助具を提供することである。
【０００５】
【課題を解決するための手段】
即ち、本発明は以下のとおりである。
（１）粘着性フィルムドレッシングをカテーテルの生体への穿刺部を覆うように該穿刺部付近の生体表面に接着して、カテーテルを生体表面に取付ける際に用いる補助具であって、
一対のフィルム基材が積層され、これらが互いに開閉可能なように、これらの外形線の一部を共有する領域において互いに接着され、一方のフィルム基材の積層方向の外側の面が生体表面に対する粘着機能を有し、他方のフィルム基材をカテーテルの保持用とした、一対のフィルム基材の積層体からなり、
該一対のフィルム基材の積層体を、これらの前記接着部が、カテーテルの生体への穿刺部に最も近くなる向きとなり、かつ、カテーテルの生体への穿刺部に接触するかまたはその近傍に位置するように、生体表面上に配置して、一方のフィルム基材の積層方向の外側の面を生体表面に貼着する一方、他方のフィルム基材の積層方向の外側の面に、穿刺部から生体外へ出ているカテーテルを載置し、
粘着性フィルムドレッシングを、前記他方のフィルム基材の積層方向の外側の面に載置したカテーテルを覆うように当該面に接着し、さらに穿刺部のカテーテルを覆うように当該カテーテルと穿刺部周囲の生体表面に接着することで、カテーテルが生体に取付けられる構成としたことを特徴とする、カテーテル取付け補助具。
（２）一対のフィルム基材の一方のフィルム基材が、粘着機能を被覆するセパレーターをさらに有するものであって、その粘着機能が該フィルム基材上に設けられた粘着剤層によるものである上記（１）記載のカテーテル取付け補助具。
（３）一対のフィルム基材の他方のフィルム基材が、積層方向の外側の面に粘着機能を有するものである上記（１）または（２）記載のカテーテル取付け補助具。
（４）一対のフィルム基材の他方のフィルム基材が、積層方向の外側の面に剥離可能な補強層をさらに有するものである上記（１）〜（３）のいずれか一つに記載のカテーテル取付け補助具。
（５）一対のフィルム基材の外形が互いに合同な長方形または正方形であり、これらの積層がこれらの外形が一致するようになされるものであり、接着される領域の形状が、フィルム基材の外形の一辺の一部または一辺の全部を、一辺として共有する長方形または正方形である上記（１）〜（４）のいずれか一つに記載のカテーテル取付け補助具。
（６）セパレーターが、３分割されるための２本の平行な直線状の切断部を有するものであって、その切断部の２本の直線が、フィルム基材の外形の上記一辺の両端から等しい距離の位置に、該一辺に垂直に形成されたものである上記（５）記載のカテーテル取付け補助具。
（７）当該カテーテル取付け補助具全体が３分割されるための２本の平行な直線状の切断予定部をさらに有するものであって、その２本の切断予定部の直線が共に、上記セパレーターの切断部の直線に平行であって、かつ、上記セパレーターの切断部の２本の直線に挟まれた位置に形成されたものである上記（６）記載のカテーテル取付け補助具。
【０００６】
【作用】
本発明のカテーテル取付け補助具の示す作用を説明するために、その使用状態を先に説明する。
図４はその使用状態の一例を模式的に示す図である。同図に示すように、本発明のカテーテル取付け補助具Ａは、一対のフィルム基材１、２が、例えば本が開閉される動作のように互いに開閉可能なように、各々の一部の領域ｅで接着されたものであって、そのフィルム基材１の積層方向の外側の面には生体表面に対する粘着機能が付与されている。
先ず、その一方のフィルム基材１を生体表面（皮膚）Ｂに接着する。その際のカテーテル取付け補助具Ａの向きは、領域ｅが穿刺部に最も近くなる向きとする。また、その位置は、その領域ｅの端部が、穿刺部に接触する位置または近傍とする。当該カテーテル取付け補助具の皮膚への貼付は、カテーテルを体内へ挿入する前に行っても、挿入後であっても良い。
次に、穿刺部から生体外に出ているカテーテルＣを、既存の粘着性フィルムドレッシングＤの一部を用いて、カテーテル取付け補助具のフィルム基材２の上面に固定する。その際、一対のフィルム基材１、２の開閉を損なわぬように注意する。粘着性フィルムドレッシングＤの残りの部分を、穿刺部のカテーテルＣを覆い、細菌の感染経路を形成しないように穿刺部の周囲の生体表面に接着する。
【０００７】
上記のように用いられることによって、図４に太い矢印で示すような方向にカテーテルＣが動いても、カテーテル取付け補助具Ａの一対のフィルム基材が、領域ｅを蝶番として開閉動作を行い、カテーテルの動きに追従する。このカテーテル取付け補助具の動作によって、粘着性フィルムドレッシングに対しては、フィルム基材２との接着、および、生体表面との接着を剥離する方向の力が作用し難いものとなる。従って、粘着性フィルムドレッシングの全面にわたって、浮きや剥がれの発生が抑制される。
【０００８】
【実施例】
以下、実施例を挙げて、本発明をより詳細に説明する。
図１は、本発明によるカテーテル取付け補助具の一実施例を模式的に示す図であって、フィルム基材の積層を側面方向から見た図である。また、図２は、図１のカテーテル取付け補助具を矢印Ｘの方向から見た図である。図１に示すように、本発明のカテーテル取付け補助具は、一対のフィルム基材１、２が積層され、これらが互いに開閉可能なようにその接合面の一部の領域ｅにおいて互いに接着されたものである。さらに、一方のフィルム基材１は、積層方向の外側の面１ａに生体表面に貼付され得る粘着機能を有するものであって、本実施例ではその粘着機能は粘着剤層６が設けられることによって付与され、この粘着剤層上にセパレーター７を有する。本実施例では、さらに、他方のフィルム基材２の積層方向の外側の面２ａに粘着剤層４が設けられ、この粘着剤層４上の面２ａに、剥離可能な補強層５が設けられている。
【０００９】
上記一方のフィルム基材は、生体表面に貼付される側のフィルムであって、その材料は、生体表面、特に人間の皮膚に対して拒絶反応を生じさせないものであればよく、また、可撓性を有するものであることが好ましい。そのような材料としては、アクリル重合体、ポリエチレン、エチレン−酢酸ビニル共重合体、ポリウレタン、ポリエーテルポリエステル、ポリエーテルポリアミドブロック共重合体およびナイロン誘導体等のポリマーが挙げられる。中でも、アクリル重合体、ポリウレタン、ポリエーテルポリエステルおよびナイロン誘導体等のポリマーは、フィルムとして加工した場合に水蒸気の透過性に優れており、皮膚の呼吸を妨げることが少なく、かつ皮膚の白化現象を抑制することができるという理由や、透明性を有しているため貼付場所を見ながら貼付することができるという理由から特に好ましい。また、このフィルム基材は、上記材料のいずれか１種だけからなるものであってもよいし、任意の材料からなるフィルムを複数積層してなるラミネートフィルムであってもよい。
このフィルム基材の厚さは、皮膚に貼付けした際の違和感を少なくできる、水蒸気の透過性に優れるなどの点から、１０μｍ〜７５μｍが好ましく、１５μｍ〜４５μｍがより好ましい。
【００１０】
上記他方のフィルム基材は、接着された領域ｅを蝶番として開閉動作を行い、カテーテルの動きに追従する可動部分である。本発明が適用されるカテーテルは、主として可撓性を有するものが多く、このフィルム基材は、カテーテルと共に屈曲し得るような可撓性を有するものであることが好ましい。そのような材料としては、上記一方のフィルム基材に用いられる材料の他、ポリエチレンやポリプロピレン等のポリオレフィンフィルム、ポリエステルフィルム、ポリテトラフルオロエチレンフィルム、ポリ塩化ビニルフィルム、これらのフィルムと不織布との積層フィルム、これらのプラスチックフィルムの多孔質体等が挙げられる。
また、このフィルム基材は、上記一方のフィルム基材の場合と同様、単独の材料からなるものであってもよいし、ラミネートフィルムであってもよい。
このフィルム基材の厚さは、カテーテルの保持性に優れるなどの点から、１０μｍ〜７５μｍが好ましく、１５μｍ〜４５μｍがより好ましい。
【００１１】
これら一対のフィルム基材は、重ね合わせられ、その接合面の一部の領域において互いに接着され、これらが互いに開閉可能なように構成される。
一対のフィルム基材同士を接着する方法は特に限定されず、粘着剤や接着剤を用いる方法、熱や高周波などによる溶着による方法、機械的な接合による方法等が挙げられる。本実施例は、図１に示すように、接着剤層３を介在させて接着した例である。
接着剤層を介在させる場合、該接着剤層としては、接着剤だけからなる層、基材に接着剤を含浸させてなる層、両面粘着テープのように基材の両面に接着剤層を形成してなる層等の態様が挙げられる。
【００１２】
一対のフィルム基材の外形は、限定されないが、製造が容易であり、製造ロスが少ない、既存の粘着性フィルムドレッシングを用いるなどの点から、長方形または正方形が好ましい。ただし、角部のアールは任意である。また、互いに合同な形状であることが好ましい。さらには、それらの外形が一致するように積層することが好ましい。
【００１３】
一対のフィルム基材を互いに接着する領域は、穿刺部をより好ましく密閉するために、フィルム基材の外形線に接して設けられることが好ましい。
図２に示すように、一対のフィルム基材の外形が互いに合同な長方形または正方形であり、一対のフィルム基材の互いの重ね合わせがそれらの外形が一致するようになされるならば、接着する領域ｅの形状は、フィルム基材の外形の一辺８の一部、または一辺８の全部を、一辺とする長方形または正方形であることが好ましい。特に、図２のように、領域ｅを、一辺８の全部を一辺として共有する四角形とすることによって、穿刺部に対する密閉性はより向上する。
【００１４】
上記一方のフィルム基材の積層方向の外側には、このカテーテル取付け補助具を生体表面に接着するための粘着機能が付与される。この粘着機能は生体表面に好適に接着するものであればどのようなものであってもよいが、フィルム基材上に粘着剤層を設けることが好ましい態様である。
粘着剤層は、粘着剤だけからなる層であっても両面粘着テープのように基材を層内に有するものであってもよい。粘着剤は、特に限定されないが、粘着力が強く、皮膚との密着性が良く、皮膚に湿疹等を生じさせないものが好ましい。例えばアクリル系粘着剤、ゴム系粘着剤、シリコーン系粘着剤、吸液性のハイドロコロイド系粘着剤等が挙げられる。
該粘着剤層をフィルム基材上に設ける方法としては、公知の方法を用いてもよく、例えば粘着剤組成物をフィルム上に塗布する方法、予め成形された粘着剤組成物よりなる膜をフィルム上に設ける方法等が挙げられる。
粘着剤層の厚みは、１０μｍ〜１００μｍ、好ましくは１５μｍ〜６０μｍである。なお、ハイドロコロイド系粘着剤を用いる場合、皮膚密着性を維持するためには、厚みの上限は１．５ｍｍ程度とすることが好ましい。
【００１５】
粘着剤層上には、本実施例のように、セパレーターを積層し設けることが好ましい。セパレーターを設けることによって、本発明のカテーテル取付け補助具が使用されるまでの間、粘着剤層の粘着性は保護され、取扱い性もより改善される。
セパレーターの基材としては、プラスチックフィルム（例えば、ポリエチレン、ポリプロピレン、ポリエステルおよびこれらの積層複合体等）、紙（例えば、上質紙、クラフト紙等）等が挙げられる。また、上記基材の表面には、粘着剤層からの良好な剥離性を得るための剥離処理として、シリコーン樹脂処理やフッ素樹脂処理等が施される。
【００１６】
セパレーターには、該セパレーターを二以上に分割し得るような切断部を設けることが好ましい。これによってセパレーターの剥離が容易になると共に、カテーテル取付け補助具の貼付作業においては、剥離されなかったセパレーター部分を手で持って作業することができ、手からの粘着剤層の汚染を防止できる。
特に、図２のように、一対のフィルム基材の外形が互いに合同な長方形または正方形であり、一対のフィルム基材の積層がそれらの外形が一致するようになされるならば、上記フィルム基材の外形の一辺８の両端から等しい距離の位置に、該一辺に垂直に、２本の平行な直線状の切断部９、１０を形成し、切断部がセパレーターを３分割する態様が好ましい。このような切断部の態様によって、カテーテル取付け補助具の貼付作業においては、先ず分割されたセパレーター１２を剥離し、残った両側のセパレーター１１、１３を両手で持って、露出した粘着剤層を生体表面に貼付し、その後これらセパレーター１１、１３を剥離し全面を貼付するという手順で作業ができる。従って、容易で迅速、しかも正確な貼付作業となる。
切断部は、容易に該切断部でセパレーターを分割できる態様であれば、予め完全に切断されたものであっても、切断されていない脆弱部であってもよく、特に制限されない。例えば、破線状の切り込み、曲線または直線状の切り込み等が挙げられる。
【００１７】
上記他方のフィルム基材の積層方向の外側の面は、カテーテルを固定するために、既存の粘着性フィルムドレッシングが貼付される面であって、粘着機能の有無は問わないが、粘着機能を有する方が、より好ましい態様である。これによって、この面に粘着性フィルムドレッシングを貼り合わせたとき、粘着面同士が密着することになるので、より強固に貼り合わせることができる。
この粘着機能は、上記一方のフィルム基材と同様、図１に示すように、他方のフィルム基材２の、積層方向の外側の面２ａに粘着剤層４を設けることによって付与されるのが好ましい態様である。
また、この他方のフィルム基材上に付与される粘着機能、特に粘着剤層を、このフィルム基材の外周縁部分には形成しない態様が挙げられる。即ち、この他方のフィルム基材の上面のうち、外形線から所望の幅の領域には粘着剤層を形成せず、中央の領域だけに粘着剤層を設ける態様である。これによって、この面に粘着性フィルムドレッシングを貼り合わせるとき、その粘着性フィルムドレッシングの位置が多少位置ずれしても、粘着剤層が露出しなくなる。
【００１８】
上記他方のフィルム基材の積層方向の外側には、剥離可能な補強層を設けることが好ましい。補強層は、このカテーテル取付け補助具が生体表面に貼付された後、剥離されるものである。これによって未使用時のカテーテル取付け補助具の取扱い性が改善される他、使用直前まで該フィルム基材の積層方向の外側を無菌状態に保つことができる。
また、補強層に透明な材料を用いることによって、貼付場所を見ながら貼付することができる。
補強層の材料は、限定されないが、ポリエチレンやポリプロピレン等のポリオレフィンフィルム、ポリエステルフィルム、ポリ塩化ビニルフィルム、ポリ塩化ビニリデンフィルム、アクリルフィルム等が挙げられる。
補強層の厚みは、１０μｍ〜８０μｍ、好ましくは、２０μｍ〜５０μｍである。
補強層をフィルム基材に対して剥離可能に設けるための方法としては、補強層とフィルム基材の物理的吸着法、補強層表面のコロナ処理などの表面処理法、熱圧着処理法等の方法が挙げられる。
【００１９】
上記説明の図２に示す態様の場合、これに対してさらに、当該カテーテル取付け補助具全体が３分割されるための２本の平行な直線状の切断予定部が付与された態様が例示される。即ち、図３に模式的に示す態様のように、当該カテーテル取付け補助具がさらに他の層を積層してなるものであっても、全体を３分割し得る２本の平行な直線状の切断予定部１４、１５を付与する態様である。その２本の切断予定部の直線は、共に、上記セパレーターの切断部の直線に平行に、かつ、上記セパレーターの切断部の２本の直線に挟まれた位置に形成するものとする。また、この切断予定部は、使用に臨んでは、容易にその部分で当該カテーテル取付け補助具全体を分割できる態様であれば、ミシン目のようなものであっても、切断されていない脆弱部であってもよく、特に制限されない。図３はミシン目の態様を示すものであって、切断予定部１４、１５を示す破線は、各々、この積層体を裏面まで完全に貫通する孔である。
この切断予定部を設けることによって、カテーテル取付け補助具の貼付作業においては、先ず、分割されたセパレーター１２を剥離し、残った両側のセパレーター１１、１３を両手で持って、露出した粘着剤層を生体表面に貼付し、その後、切断予定部１４、１５の部分でこのカテーテル取付け補助具を分割し、生体表面に貼付されなかった両サイドの部分を捨て去るという作業が可能となる。従って、手で触れた部分が、完全に除去される態様であるため、容易で迅速、しかも正確で、さらにはより清潔な貼付作業となる。
【００２０】
本発明に用いるフィルム基材、粘着剤、セパレーター、補強層には、必要に応じて抗菌剤、老化防止剤、安定剤、充填剤、架橋剤、顔料等の公知の添加剤を配合することができる。
【００２１】
本発明のカテーテル取付け補助具は、滅菌袋に個別包装されていてもよく、また、放射線等により滅菌処理されていてもよい。
【００２２】
〔性能確認実験〕
本実験では、本発明によるカテーテル取付け補助具を実際に製作し、カテーテルの取付け固定に実際に適用することによって、その作業性と、カテーテル取付け後の状態を確認した。
【００２３】
本実験のために製作したカテーテル取付け補助具の構造は、上記実施例および図１に示す通りであって、各部の具体的な仕様は次の通りである。ただし、各部の外形は、接着剤層３の領域の形状を除いて、全て外形６０ｍｍ×１００ｍｍの長方形である。
補強層５；厚み４０μｍ、材料ポリプロピレンフィルム。
フィルム基材２；厚み２５μｍ、材料ポリエーテルポリエステル。
接着剤層３；領域の形状３０ｍｍ×１００ｍｍ、厚み５０μｍ、材料アクリル系粘着剤。
フィルム基材１；厚み２５μｍ、材料ポリエーテルポリエステル。
粘着剤層６；厚み２０μｍ、材料アクリル系粘着剤。
セパレーター７；厚み１００μｍ、材料上質紙の表面にシリコーン処理したもの。また、図２に示すように、切断部９、１０が設けられている。
また、取付けるカテーテルの外形はφ３ｍｍであった。
【００２４】
次に示すように、上記仕様のカテーテル取付け補助具を、カテーテルを人体の皮膚から穿刺し挿入する場合の取付けに適用した。
先ず３分割されたセパレーターのうち中央のセパレーターを剥がして粘着剤層を露出させ、両手で位置決めして、穿刺部の近傍の皮膚に貼付し、残りのセパレーターを剥がして一方のフィルム基材全面を皮膚に貼付した。ここで、一対のフィルム基材を接着する接着剤層が穿刺部に最も近くなる向きとした。カテーテル取付け補助具を皮膚に貼付した後、補強層を剥離し、上記のように本発明補助具上にカテーテルを載せた。さらに、他方のフィルム基材からはみだすことなく、かつカテーテルの生体への穿刺部を完全に覆うように既存の粘着性フィルムドレッシングを貼付し、カテーテルの取付けを完了した。
【００２５】
上記実験によって、密閉性良く、容易にカテーテルを取付けられることが確認できた。また、取付け直後の穿刺部の周囲を確認したところ、よく密閉されており、性細菌の感染経路となるような間隙は形成されていなかった。
取付け後のカテーテルは、種々の操作によって動かされ、穿刺部に力が作用したが、本発明によるカテーテル取付け補助具が開閉動作を行い、カテーテルの動きに良好に追従した。これによって、カテーテルの動きによる粘着性フィルムドレッシングの浮きや剥がれが減少した。
【００２６】
【発明の効果】
本発明によって、良好な作業性をもってカテーテルを生体の穿刺部に取付け固定することができる。また、カテーテルに強い外力が作用して、カテーテルの生体への穿刺部においてカテーテルが動いても、粘着性フィルムドレッシングの生体表面からの浮きや剥がれを抑制することができる。
【図面の簡単な説明】
【図１】本発明のカテーテル取付け補助具の一実施例を模式的に示す図である。
【図２】図１のカテーテル取付け補助具を矢印Ｘの方向から見た図である。
【図３】本発明のカテーテル取付け補助具の他の実施例を模式的に示す図である。
【図４】本発明のカテーテル取付け補助具の使用状態を模式的に示す図である。
【符号の説明】
１      一方のフィルム基材
１ａ    一方のフィルム基材の積層方向の外側の面
２      他方のフィルム基材
２ａ    他方のフィルム基材の積層方向の外側の面
５      剥離可能な補強層
６      粘着剤層
７      セパレーター
ｅ      一対のフィルム基材を開閉可能なように接着する領域
【図１】
0003696922.tif 000002
【図２】
0003696922.tif 000003
【図３】
0003696922.tif 000004
【図４】
0003696922.tif 000005